(57)【特許請求の範囲】
【請求項１】
施設内に設置されたネットワークを介して被検者の生体情報を取得する生体情報取得システムであって、
前記被検者に装着可能であり、当該被検者の生体信号を取得する生体信号取得部と、
前記被検者により携帯可能であり、前記生体信号を送信可能に構成された送信部と、
前記施設における第一場所に設置可能かつ前記ネットワークと接続可能に構成された第一通信ポートと、
前記第一場所に設置可能かつ前記ネットワークと接続可能に構成された第一カメラと、  前記施設における第二場所に設置可能かつ前記ネットワークと接続可能に構成された第二通信ポートと、
前記第二場所に設置可能かつ前記ネットワークと接続可能に構成された第二カメラと、
前記ネットワークと接続可能に構成され、切替部を備える生体情報取得装置と、
を備えており、
前記被検者が前記第一場所と前記第二場所の間を移動する場合、前記切替部は、前記送信部と前記第一通信ポートの間の通信確立を契機として、前記第一通信ポートを通じて前記生体信号を取得するとともに、前記第一カメラにより撮影された第一画像を取得し、前記送信部と前記第二通信ポートの間の通信確立を契機として、前記第二通信ポートを通じて前記生体信号を取得するとともに、前記第二カメラにより撮影された第二画像を取得するように構成されている、
生体情報取得システム。
【請求項２】
前記生体情報取得装置は、前記第一通信ポートの第一ネットワーク識別子を前記第一カメラと関連付けて予め記憶し、前記第二通信ポートの第二ネットワーク識別子を前記第二カメラと関連付けて予め記憶している記憶部を備えている、
請求項１に記載の生体情報取得システム。
【請求項３】
前記記憶部は、前記第一ネットワーク識別子を第一場所情報と関連付けて予め記憶し、前記第二ネットワーク識別子を第二場所情報と関連付けて予め記憶しており、
前記第一通信ポートから取得された前記生体信号および前記第一カメラから取得された前記第一画像を、前記第一場所情報と関連付けて記録し、前記第二通信ポートから取得された前記生体信号および前記第二カメラから取得された前記第二画像を、前記第二場所情報と関連付けて記録するように構成された記録部を備えている、
請求項２に記載の生体情報取得システム。
【請求項４】
前記送信部は、前記第一通信ポートと前記第二通信ポートのそれぞれと有線接続可能とされている、
請求項１から３のいずれか一項に記載の生体情報取得システム。
【請求項５】
前記送信部と前記第一通信ポートの有線接続に用いられるコネクタと、前記送信部と前記第二通信ポートの有線接続に用いられるコネクタは、同一の構成を有している、
請求項４に記載の生体情報取得システム。
【請求項６】
前記生体信号は脳波であり、
前記生体情報取得装置は、脳波計である、
請求項１から５のいずれか一項に記載の生体情報取得システム。
【発明の詳細な説明】
【技術分野】
【０００１】
本発明は、施設内に設置されたネットワークを介して被検者の生体情報を取得するシステムに関する。
【背景技術】
【０００２】
この種のシステムは、例えば特許文献１に開示されている。当該システムにおいては、被検者の生体信号および当該被検者を撮影した画像が、ネットワークを介して生体情報取得装置に送信される。生体情報取得装置は、被検者から遠隔して配置されており、医療従事者によって使用される。
【先行技術文献】
【特許文献】
【０００３】
【特許文献１】特開２００１−３４６７６８号公報
【発明の概要】
【発明が解決しようとする課題】
【０００４】
本発明は、被検者の生体信号と画像を長時間にわたって取得する必要がある場合において、被検者と医療従事者の双方の負担を軽減することを目的とする。
【課題を解決するための手段】
【０００５】
上記の目的を達成するために、本発明がとりうる一態様は、施設内に設置されたネットワークを介して被検者の生体情報を取得する生体情報取得システムであって、
前記被検者に装着可能であり、当該被検者の生体信号を取得する生体信号取得部と、
前記被検者により携帯可能であり、前記生体信号を送信可能に構成された送信部と、
前記施設における第一場所に設置可能かつ前記ネットワークと接続可能に構成された第一通信ポートと、
前記第一場所に設置可能かつ前記ネットワークと接続可能に構成された第一カメラと、
前記施設における第二場所に設置可能かつ前記ネットワークと接続可能に構成された第二通信ポートと、
前記第二場所に設置可能かつ前記ネットワークと接続可能に構成された第二カメラと、
前記ネットワークと接続可能に構成され、切替部を備える生体情報取得装置と、
を備えており、
前記切替部は、前記送信部と前記第一通信ポートの間の通信確立が検出されると、前記第一通信ポートを通じて前記生体信号を取得するとともに、前記第一カメラにより撮影された第一画像を取得し、前記送信部と前記第二通信ポートの間の通信確立が検出されると、前記第二通信ポートを通じて前記生体信号を取得するとともに、前記第二カメラにより撮影された第二画像を取得するように構成されている。
【０００６】
このような構成によれば、被検者は、第一場所と第二場所の間での移動が許容される。被検者の生体信号と画像を長時間にわたって取得する必要がある場合において、被検者を、特定の場所に設置されたカメラの前に拘束する必要がない。よって、被検者の負担を軽減できる。
【０００７】
また、被検者が第一場所において接続部を第一通信ポートに接続すると、生体情報取得装置の切替部により、第一場所に設置された第一カメラから被検者を含む第一画像が取得されるように画像取得元の切替がなされる。被検者が第二場所において接続部を第二通信ポートに接続すると、生体情報取得装置の切替部により、第二場所に設置された第二カメラから被検者を含む第二画像が取得されるように画像取得元の切替がなされる。よって、被検者による接続部と第一通信ポートまたは第二通信ポートとの通信確立を契機として、被検者が滞在している第一場所の第一画像または第二場所の第二画像が、第一カメラまたは第二カメラから取得されうる。これにより、被検者の移動を許容しながらも、医療従事者の介在の必要性を低下でき、医療従事者の負担を軽減できる。
【０００８】
したがって、被検者の生体信号と画像を長時間にわたって取得する必要がある場合において、被検者と医療従事者の双方の負担を軽減できる。
【０００９】
上記の生体情報取得システムは、以下のように構成されうる。
前記生体情報取得装置は、前記第一通信ポートの第一ネットワーク識別子を前記第一カメラと関連付けて予め記憶し、前記第二通信ポートの第二ネットワーク識別子を前記第二カメラと関連付けて予め記憶している記憶部を備えている。
【００１０】
このような構成によれば、通信確立の識別に用いられるネットワーク識別子を、生体信号取得装置の切替部による画像取得元の切替動作に利用できる。そのため、切替動作の自動化が容易になる。したがって、被検者の生体信号と画像を長時間にわたって取得する必要がある場合において、被検者と医療従事者の双方の負担をより軽減できる。
【００１１】
この場合、上記の生体情報取得システムは、以下のように構成されうる。
前記記憶部は、前記第一ネットワーク識別子を第一場所情報と関連付けて予め記憶し、前記第二ネットワーク識別子を第二場所情報と関連付けて予め記憶しており、
前記第一通信ポートから取得された前記生体信号および前記第一カメラから取得された前記第一画像を、前記第一位置情報と関連付けて記録し、前記第二通信ポートから取得された前記生体信号および前記第二カメラから取得された前記第二画像を、前記第二位置情報と関連付けて記録するように構成された記録部を備えている。
【００１２】
このような構成によれば、被検者の生体信号および画像に加え、施設内のどのような場所に被検者が滞在しているのかを示す情報を記録できる。したがって、被検者の生体信号と画像を長時間にわたって取得する必要がある場合において、被検者と医療従事者の双方の負担を軽減できるだけでなく、取得した生体情報を被検者が滞在している場所と関連付けて分析できる。
【００１３】
上記の生体情報取得システムは、以下のように構成されうる。
前記送信部は、前記第一通信ポートと前記第二通信ポートのそれぞれと有線接続可能とされている。
【００１４】
このような構成によれば、被検者は、送信部と第一通信ポートまたは第二通信ポートとの接続を目視で確認できる。また、より簡易な構成で送信部と第一通信ポートまたは第二通信ポートとの通信を確立できる。したがって、被検者の生体信号と画像を長時間にわたって取得する必要がある場合において、被検者と医療従事者の双方の負担を軽減できるだけでなく、生体情報取得システムの構成を簡略化できる。
【００１５】
この場合、上記の生体情報取得システムは、以下のように構成されうる。
前記送信部と前記第一通信ポートの有線接続に用いられるコネクタと、前記送信部と前記第二通信ポートの有線接続に用いられるコネクタは、同一の構成を有している。
【００１６】
このような構成によれば、被検者は、常に同じ方法で送信部と第一通信ポートまたは第二通信ポートとの接続を実行できる。また、コネクタの仕様を共通化できるため、生体情報取得システムを簡易かつ安価に構築できる。したがって、被検者の生体信号と画像を長時間にわたって取得する必要がある場合において、被検者と医療従事者の双方の負担をより軽減できるだけでなく、生体情報取得システムの構成をより簡略化できる。
【００１７】
上記の生体情報取得システムは、以下のように構成されうる。
前記生体信号は脳波であり、
前記生体情報取得装置は、脳波計である。
【００１８】
特にてんかん患者の場合、長時間にわたる脳波と画像の観察が必要である。したがって、このような構成によれば、てんかん患者と医療従事者の双方の負担をより軽減できる。
【図面の簡単な説明】
【００１９】
【図１】一実施形態に係る生体情報取得システムの一状態を示す図である。
【図２】上記システムの別状態を示す図である。
【図３】上記システムに含まれる生体情報取得装置の動作の流れを示す図である。
【発明を実施するための形態】
【００２０】
添付の図面を参照しつつ、本発明に係る実施形態の例を以下詳細に説明する。図１は、一実施形態に係る生体情報取得システム１を示す機能ブロック図である。
【００２１】
生体情報取得システム１は、施設内に設置されたネットワーク１００を介して被検者２００の生体情報を取得するシステムである。ネットワーク１００は、例えばローカルエリアネットワークに分類されるネットワークである。上記の「施設」とは、必ずしも単一の建物を意味するものではなく、ローカルエリアネットワークで結ばれた複数の建物からなる施設を含む意味である。
【００２２】
生体情報取得システム１は、生体信号取得部２を備えている。生体信号取得部２は、被検者２００に装着され、当該被検者２００の生体信号を取得可能に構成されている。生体信号取得部２は、例えば、被検者２００の頭部に装着される複数の電極である。生体信号は、例えば、脳波である。
【００２３】
生体情報取得システム１は、送信部３を備えている。送信部３は、被検者２００に携帯可能に構成された装置である。すなわち、生体信号取得部２と送信部３は、被検者２００とともに移動する。送信部３は、生体信号取得部２により取得された生体信号を送信可能に構成されている。すなわち、生体信号取得部２と送信部３は、有線通信あるいは無線通信が可能に構成されている。
【００２４】
ネットワーク１００が設置されている施設は、第一場所１１０と第二場所１２０を備えている。第一場所１１０と第二場所１２０は、例えば、当該施設内における独立した居室である。図１は、被検者２００が第一場所１１０に居る状態を示している。図２は、被検者２００が第二場所１２０に居る状態を示している。
【００２５】
生体情報取得システム１は、第一通信ポート４を備えている。第一通信ポート４は、第一場所１１０に設置可能に構成されている。第一通信ポート４は、ネットワーク１００と接続可能に構成されている。第一通信ポート４は、送信部３と通信可能に構成されている。送信部３と第一通信ポート４の通信が確立すると、第一通信ポート４は、送信部３から送信される生体信号をネットワーク１００へ中継可能に構成されている。
【００２６】
生体情報取得システム１は、第一カメラ５を備えている。第一カメラ５は、第一場所１１０に設置可能に構成されている。第一カメラ５は、ネットワーク１００と接続可能に構成されている。第一カメラ５は、第一場所１１０の画像（第一画像）を撮影可能に構成されている。第一カメラ５は、撮影した第一画像を、第一画像信号としてネットワーク１００へ送信可能に構成されている。第一カメラ５の撮像範囲は、送信部３と第一通信ポート４の通信が確立されている状態において被検者２００が第一画像に含まれるように設定されている。
【００２７】
生体情報取得システム１は、第二通信ポート６を備えている。第二通信ポート６は、第二場所１２０に設置可能に構成されている。第二通信ポート６は、ネットワーク１００と接続可能に構成されている。第二通信ポート６は、送信部３と通信可能に構成されている。送信部３と第二通信ポート４の通信が確立すると、第二通信ポート４は、送信部３から送信される生体信号をネットワーク１００へ中継可能に構成されている。
【００２８】
生体情報取得システム１は、第二カメラ７を備えている。第二カメラ７は、第二場所１２０に設置可能に構成されている。第二カメラ７は、ネットワーク１００と接続可能に構成されている。第二カメラ７は、第二場所１２０の画像（第二画像）を撮影可能に構成されている。第二カメラ７は、撮影した第二画像を、ネットワーク１００へ送信可能に構成されている。第二カメラ７の撮像範囲は、送信部３と第二通信ポート６の通信が確立されている状態において被検者２００が第二画像に含まれるように設定されている。
【００２９】
生体情報取得システム１は、生体情報取得装置８を備えている。生体情報取得装置８は、例えば、脳波計である。生体情報取得装置８は、ネットワーク１００と接続可能に構成されている。生体情報取得装置８は、第一場所１１０と第二場所１２０の少なくとも一方から遠隔した場所に配置されている。
【００３０】
生体情報取得装置８は、切替部８１を備えている。切替部８１は、送信部３と第一通信ポート４の通信確立が検出されると、ネットワーク１００を通じて、第一通信ポート４から被検者２００の生体信号を取得するとともに、第一カメラ５から第一画像を取得するように構成されている。また、切替部８１は、送信部３と第二通信ポート６の通信確立が検出されると、ネットワーク１００を通じて、第二通信ポート６から被検者２００の生体信号を取得するとともに、第二カメラ７から第二画像を取得するように構成されている。
【００３１】
図３は、切替部８１により実行される処理の流れを具体的に示している。
【００３２】
まず、切替部８１は、送信部３と第一通信ポート４との通信が確立しているかを判定する（ステップＳ１）。図１に示したように、被検者２００が第一場所１１０に居り、送信部３が第一通信ポート４に接続されると、送信部３と第一通信ポート４との通信が確立する。この場合（ステップＳ１においてＹ）、切替部８１は、ネットワーク１００を通じて、第一通信ポート４から被検者２００の生体信号を取得するとともに、第一カメラ５から第一画像を取得する（ステップＳ２）。その後、処理は、再びステップＳ１に戻る。
【００３３】
送信部３と第一通信ポート４の接続が確立し続けている限り、ステップＳ１とステップＳ２の処理が繰り返される。初めから送信部３が第一通信ポート４に接続されていない場合、あるいは、被検者２００が送信部３と第一通信ポート４との接続を解除した場合、切替部８１は、送信部３と第一通信ポート４との通信が確立していないと判断する（ステップＳ１においてＮ）。この場合、処理はステップＳ３に進む。
【００３４】
次に、切替部８１は、送信部３と第二通信ポート６との通信が確立しているかを判定する（ステップＳ３）。図２に示したように、被検者２００が第二場所１２０に居り、送信部３が第二通信ポート６に接続されると、送信部３と第二通信ポート６との通信が確立する。この場合（ステップＳ３においてＹ）、切替部８１は、ネットワーク１００を通じて、第二通信ポート６から被検者２００の生体信号を取得するとともに、第二カメラ７から第二画像を取得する（ステップＳ４）。その後、処理は、再びステップＳ３に戻る。
【００３５】
送信部３と第二通信ポート６の接続が確立し続けている限り、ステップＳ３とステップＳ４の処理が繰り返される。未だ送信部３が第二通信ポート６に接続されていない場合、あるいは、被検者２００が送信部３と第二通信ポート６との接続を解除した場合、切替部８１は、送信部３と第二通信ポート６との通信が確立していないと判断する（ステップＳ３においてＮ）。この場合、処理はステップＳ１に戻る。
【００３６】
このように構成された生体情報取得システム１によれば、被検者２００は、第一場所１１０と第二場所１２０の間での移動が許容される。被検者２００の生体信号と画像を長時間にわたって取得する必要がある場合において、被検者２００を特定の場所に設置されたカメラの前に拘束する必要がない。よって、被検者の負担を軽減できる。
【００３７】
また、被検者２００が第一場所１１０において接続部３を第一通信ポート４に接続すると、生体情報取得装置８の切替部８１により、第一場所１１０に設置された第一カメラ５から被検者２００を含む第一画像が取得されるように画像取得元の切替がなされる。被検者２００が第二場所１２０において接続部３を第二通信ポート６に接続すると、生体情報取得装置８の切替部８１により、第二場所１２０に設置された第二カメラ７から被検者２００を含む第二画像が取得されるように画像取得元の切替がなされる。よって、被検者２００による接続部３と第一通信ポート４または第二通信ポート６との通信確立を契機として、被検者２００が滞在している第一場所１１０の第一画像または第二場所１２０の第二画像が、第一カメラ５または第二カメラ７から取得されうる。これにより、被検者２００の移動を許容しながらも、医療従事者の介在の必要性を低下でき、医療従事者の負担を軽減できる。
【００３８】
したがって、被検者の生体信号と画像を長時間にわたって取得する必要がある場合において、被検者と医療従事者の双方の負担を軽減できる。
【００３９】
図１と図２に破線で示すように、生体信号取得システム１は、記憶部８２を備えている。第一通信ポート４がネットワーク１００における第一ネットワーク識別子を付与されており、第二通信ポート６がネットワーク１００における第二ネットワーク識別子を付与されている場合、記憶部８２は、第一ネットワーク識別子を第一カメラ５と関連付けて予め記憶し、第二ネットワーク識別子を第二カメラ７と関連付けて予め記憶している。第一ネットワーク識別子と第二ネットワーク識別子は、固有の識別子であればよい。例えば、ネットワーク１００における異なるＩＰアドレスやＭＡＣアドレス等が用いられうる。
【００４０】
このような構成によれば、通信確立の識別に用いられるネットワーク識別子を、生体信号取得装置８の切替部８１による画像取得元の切替動作に利用できる。そのため、切替動作の自動化が容易になる。したがって、被検者の生体信号と画像を長時間にわたって取得する必要がある場合において、被検者と医療従事者の双方の負担をより軽減できる。
【００４１】
記憶部８２は、第一ネットワーク識別子を、ネットワーク１００が設置された施設における第一場所情報に関連付けて予め記憶している。また、記憶部８２は、第二ネットワーク識別子を、ネットワーク１００が設置された施設における第二場所情報に関連付けて予め記憶している。第一場所情報および第二場所情報の例としては、施設内における第一場所１１０および第二場所１２０の物理的な位置を示す情報、第一場所１１０および第二場所１２０にそれぞれ対応する居室の種別（被検者２００の病室、リハビリテーションスペースなど）を示す情報などが挙げられる。
【００４２】
図１と図２に破線で示すように、生体情報取得システム１は、記録部８３を備えている。記録部８３は、第一通信ポート４から取得された被検者２００の生体信号および第一カメラ５から取得された第一画像を、第一場所情報と関連付けて記録するように構成されている。また、記録部８３は、第二通信ポート６から取得された被検者２００の生体信号および第二カメラ６から取得された第二画像を、第二場所情報と関連付けて記録するように構成されている。
【００４３】
このような構成によれば、被検者２００の生体信号および画像に加え、施設内のどのような場所に被検者２００が滞在しているのかを示す情報を記録できる。したがって、被検者の生体信号と画像を長時間にわたって取得する必要がある場合において、被検者と医療従事者の双方の負担を軽減できるだけでなく、取得した生体情報を被検者２００が滞在している場所と関連付けて分析できる。
【００４４】
送信部３と第一通信ポート４または第二通信ポート６との通信は、無線通信を通じて行なわれてもよいし、有線通信を通じて行なわれてもよい。しかしながら、第一通信ポート４と第二通信ポート６のそれぞれに対して有線接続可能に送信部３が構成されている場合、被検者２００は、送信部３と第一通信ポート４または第二通信ポート６との接続を目視で確認できる。また、より簡易な構成で送信部３と第一通信ポート４または第二通信ポート６との通信を確立できる。したがって、被検者の生体信号と画像を長時間にわたって取得する必要がある場合において、被検者と医療従事者の双方の負担を軽減できるだけでなく、生体情報取得システム１の構成を簡略化できる。
【００４５】
この場合、図１に破線で示すように、接続部３と第一通信ポート４は、コネクタ４１を介して有線接続される。また、図２に破線で示すように、接続部３と第二通信ポート６は、コネクタ６１を介して有線接続される。コネクタ４１とコネクタ６１は、同一の構成を有している。
【００４６】
これにより、被検者２００は、常に同じ方法で送信部３と第一通信ポート４または第二通信ポート６との接続を実行できる。また、コネクタの仕様を共通化できるため、生体情報取得システム１を簡易かつ安価に構築できる。したがって、被検者の生体信号と画像を長時間にわたって取得する必要がある場合において、被検者と医療従事者の双方の負担をより軽減できるだけでなく、生体情報取得システム１の構成をより簡略化できる。
【００４７】
上記の実施形態は本発明の理解を容易にするためのものであって、本発明を限定するものではない。本発明は、その趣旨を逸脱することなく変更・改良され得ると共に、本発明にはその等価物が含まれることは明らかである。
【００４８】
上記の実施形態においては、生体信号取得部２が脳波を取得し、生体情報取得装置８が脳波計である例を示した。特にてんかん患者の場合、長時間にわたる脳波と画像の観察が必要である。したがって、上記実施形態の構成によれば、てんかん患者と医療従事者の双方の負担をより軽減できる。しかしながら、本発明は、被検者の画像との同時取得が求められる任意の生体信号に対して適用可能である。
【００４９】
上記の実施形態においては、生体情報取得装置８の記憶部８２が、第一通信ポート４の第一ネットワーク識別子と第一カメラ５を予め関連付けて記憶し、第二通信ポート６の第二ネットワーク識別子と第二カメラ７を予め関連付けて記憶している。生体情報取得装置８の切替部８１は、第一ネットワーク識別子と第二ネットワーク識別子を利用して各通信ポートと送信部３の間の通信確立を検出している。しかしながら、第一通信ポート４と第二通信ポート６は、通信確立時に相違する信号をネットワーク１００に送信するように構成されうる。この場合、記憶部８２は、第一通信ポート４から出力される信号と第一カメラ５を予め関連付けて記憶し、第二通信ポート６から出力される信号と第二カメラ７を予め関連付けて記憶するように構成されうる。切替部８１は、生体情報取得装置８が受信する信号と、記憶部８２が記憶する対応関係とに基づいて、画像取得元の切替を行なうように構成されうる。
【００５０】
上記の実施形態においては、被検者２００が第一場所１１０と第二場所１２０の間で移動する例を示した。しかしながら、被検者２００が移動する場所の数は、２つに限られない。被検者２００は、３つ以上の場所の間を自由に移動できる。この場合、第一場所１１０と第二場所１２０は、当該３つ以上の場所から選ばれた任意の２つの場所とみなすことができる。
【００５１】
上記の実施形態においては、第一場所１１０と第二場所１２０が独立した居室である例を示した。しかしながら、第一場所１１０と第二場所１２０は、同一居室内における異なる場所であってもよい。この場合、第一場所１１０は、第一カメラ５の撮像可能範囲として定義され、第二場所１２０は、第二カメラ７の撮像可能範囲として定義されうる。
【００５２】
上記の実施形態においては、生体情報取得装置８は、ネットワーク１００が設置されている施設内における第一場所１１０と第二場所１２０から遠隔した場所に配置されている。しかしながら、生体情報取得装置８は、第一場所１１０と第二場所１２０の少なくとも一方から遠隔した場所に配置されてもよい。あるいは、生体情報取得装置８は、第一場所１１０と第二場所１２０のいずれかに配置されてもよい。
【符号の説明】
【００５３】
１：生体情報取得システム、２：生体信号取得部、３：送信部、４：第一通信ポート、４１：コネクタ、５：第一カメラ、６：第二通信ポート、６１：コネクタ、７：第二カメラ、８：生体情報取得装置、８１：切替部、８２：記憶部、８３：記録部、１００：ネットワーク、１１０：第一場所、１２０：第二場所、２００：被検者
【図１】
0006374302.tif 000002
【図２】
0006374302.tif 000003
【図３】
0006374302.tif 000004